(57)【要約】  室内に空調空気を取り入れる空調構造に関し、室内空間に均一な温度環境を保ち、室内の美観にも寄与する空調用二重壁構造を提供することを課題とし、床下空間部を流通する空調空気を吹出し口を通じて室内に吹き出す空調構造において、上記床下空間部と連通する二重壁の壁部に、床下空間部からの空調空気が上方に向けて流通する壁部流通路５を形成し、床部の近傍に上記壁部流通路５を流通する空調空気の床側吹出し口２４を又天井部の近傍に天井側吹出し口６４をそれぞれ設け、上記床側吹出し口２４の近傍の壁基礎面に、空調空気の流れを変える乱流発生板４０を配置し、上記乱流発生板に上記空調空気を当てて乱流を発生させ、この乱流により空調空気を上記床側吹出し口の上方向と上記天井側吹出し口の方向との二方向に分流し、空調空気を天井側吹出し口と床側吹出し口との両方から室内に取り入れる構成である。
2011013582.tif 000002
【特許請求の範囲】
【請求項１】
空調機器からの空調空気を床下空間部に送り、この床下空間部を流通する空調空気を吹出し口を通じて室内に吹き出す空調構造において、
上記床下空間部と連通する二重壁の壁部に、床下空間部からの空調空気が上方に向けて流通する壁部流通路を形成し、床部の近傍に上記壁部流通路を流通する空調空気の床側吹出し口を又天井部の近傍に天井側吹出し口をそれぞれ設け、
上記床側吹出し口の近傍の壁基礎面に、空調空気の流れを変える乱流発生板を配置し、
上記乱流発生板に上記空調空気を当てて乱流を発生させ、この乱流により空調空気を上記床側吹出し口の方向と上記天井側吹出し口の方向との二方向に分流し、空調空気を天井側吹出し口と床側吹出し口との両方から室内に取り入れることを特徴とする空調用二重壁構造。
【請求項２】
上記乱流発生板として断面Ｌ字状の長尺材を用い、これを上記床側吹出し口の近傍の壁基礎面に横向きに配置して上記空調空気を当て、乱流を発生させたことを特徴とする請求の範囲第１項記載の空調用二重壁構造。
【請求項３】
空調機器からの空調空気を床下空間部に送り、この床下空間部を流通する空調空気を吹出し口を通じて室内に吹き出す空調構造において、
上記床下空間部と連通する二重壁の壁部に、床下空間部からの空調空気が上方に向けて流通する壁部流通路を形成し、床部の近傍に上記壁部流通路を流通する空調空気の床側吹出し口を又天井部の近傍に天井側吹出し口をそれぞれ設け、
上記床側吹出し口の近傍の上記壁部流通路に、この壁部流通路を閉塞する流体誘導材を横方向に断続的に配置し、
上記流体誘導材に上記空調空気を当てて空調空気を床側吹出し口に誘導する一方、上記流体誘導材を配置していない個所については、上記壁部流通路を通過する空調空気をそのまま上方に流通させ、これにより空調空気を上記床側吹出し口の方向と上記天井側吹出し口の方向との二方向に分流し、空調空気を天井側吹出し口と床側吹出し口との両方から室内に取り入れることを特徴とする空調用二重壁構造。
【請求項４】
空調機器からの空調空気を床下空間部に送り、この床下空間部を流通する空調空気を吹出し口を通じて室内に吹き出す空調構造において、
上記床下空間部と連通する二重壁の壁部に、床下空間部からの空調空気が上方に向けて流通する壁部流通路を形成し、床部の近傍に上記壁部流通路を流通する空調空気の床側吹出し口を又天井部の近傍に天井側吹出し口をそれぞれ設け、
上記床側吹出し口の近傍の上記壁部流通路に、空調空気の通過孔を有し上記壁部流通路の一部を閉塞する流体分配材を横方向に配置し、
上記流体分配材に上記空調空気を当てて一部の空調空気を床側吹出し口に誘導する一方、上記流体分配材の通過孔を通過する空調空気を上方に流通させ、これにより空調空気を上記床側吹出し口の方向と上記天井側吹出し口の方向との二方向に分流し、空調空気を天井側吹出し口と床側吹出し口との両方から室内に取り入れることを特徴とする空調用二重壁構造。
【請求項５】
上記天井側吹出し口として、上記天井部の壁際の部分に下方に向けて開口する吹出し口を設け、上記天井部の壁際に、上記壁部流通路を流通して上記壁部の天井際に設けた隙間から吹き出される空調空気を下方向きに変える風向き変更板を配置し、上記吹出し口から空調空気を下方に向けて吹き出すことを特徴とする請求の範囲第１項乃至第４項の何れかに記載の空調用二重壁構造。
【請求項６】
上記天井側吹出し口として、上記壁部の天井際の部分に横方に向けて開口する吹出し口を設け、上記壁部流通路の天井際に、この壁部流通路を流通する空調空気を横向きに変える風向き変更板を配置し、上記吹出し口から空調空気を横方向に吹き出すことを特徴とする請求の範囲第１項乃至第４項の何れかに記載の空調用二重壁構造。
【請求項７】
上記壁部流通路を形成する壁基礎面に断熱材を敷設したことを特徴とする請求の範囲第１項乃至第４項の何れかに記載の空調用二重壁構造。
【請求項８】
上記壁部流通路に、長尺状のガイド板をこの壁部流通路内を横に延ばした状態に配置し、上記壁部流通路を上昇する空調空気の流れを上記内装材の裏面部に誘導してここに当て、温度が調整された上記内装材による壁面からの輻射効果により室内の空調を行うことを特徴とする請求の範囲第１項乃至第４項の何れかに記載の空調用二重壁構造。
【発明の詳細な説明】
【技術分野】
【０００１】
本発明は、室内に空調空気を取り入れる空調用二重壁構造に関する。
【背景技術】
【０００２】
従来、床下から空調を行う涼暖床システムが開発されている。これは、空調機器から送られる空調空気をダクト内を流通させ、このダクトに取り付けられた噴流ノズルから上方の床板に向けて吹き出し、また床下空間の空調空気を床面に設けた吹出し口から吹き出して室内に取り入れ室内の空調を行う。上記吹出し口は、床周辺の床面に複数個所設置される。【０００３】
また従来、冷暖気を壁面に面した室内側の巾木部分の吹出し口、及び廻り縁部分の吹出し口から住宅の室内空間に取り入れることによって、室内空間を均一な温度環境に保つ住宅用の空調構造が開示されている。【０００４】
例えば、特許文献１には図５に示すように、冷暖房空調設備機１００を１階床下と１階天井裏と２階天井裏にそれぞれ設置し、前記冷暖房空調設備機１００より吹き出された冷房気を外部壁面に面した室内側の巾木部分の吹出し口１０２及び廻り縁部分の吹出し口１０４から住宅室内空間に取り入れる住宅が開示されている。これにより、住宅の室内空間は均一な温度環境と湿度環境を保つことができるというものである。【０００５】
また特許文献２には、空調対象空間の壁の幅木に吹出し方向が斜め上向きの吹出し口を、または回り縁に吹き出し方向が斜め下向きの吹出し口を設け、空調対象空間の空気を吸込み床下空間に調和空気として吹出す室内機、空調対象空間から室内機に至る換気通路、及び床下空間と空調対象空間の壁内に位置させた調和空気の吹出し通路で構成した床下空調システムが開示されている。
【先行技術文献】
【特許文献】
【０００６】
【特許文献１】特開２００２−１３９２４１
【特許文献２】特開２００６−７８１２８
【発明の概要】
【発明が解決しようとする課題】
【０００７】
しかしながら、上記涼暖床システムは、部屋の床周辺部に床上吹出し口が設置されるため、部屋の周辺部に家具などの物が置かれた場合には、これら家具などにより床上吹出し口が塞がれる可能性があるという問題があった。【０００８】
また、特許文献１の住宅は、住宅室内空間に気圧差を生じさせて空気を流動させ、この空気が流動することで各吹出し口から室内空間に冷暖気を取り入れるものであるが、各吹出し口にどのように冷暖気を分散させるかについては明確な記載がなく、均一な分散が行えるかどうかは疑問である。【０００９】
また、特許文献２の床下空調システムは、空調空気の吹出しを幅木の吹出し口に代えて回し縁に設け、床下空調機からの調和空気を床下空間から壁内の通気路を通して各部屋に吹出す構造であるが、これは吹出し口を幅木と回し縁の何れかに設けるものであり、室内空間に均一に温度環境が形成されるかについては問題がある。【００１０】
本発明は上記問題点を解決するためになされたものであり、室内空間に均一な温度環境を保ち、室内の美観にも寄与する空調用二重壁構造を提供することを目的とする。
【課題を解決するための手段】
【００１１】
以上の技術的課題を解決するため、本発明に係る空調用二重壁構造は、図１に示すように、空調機器からの空調空気を床下空間部に送り、この床下空間部を流通する空調空気を吹出し口を通じて室内に吹き出す空調構造において、上記床下空間部と連通する二重壁の壁部に、床下空間部からの空調空気が上方に向けて流通する壁部流通路５を形成し、床部の近傍に上記壁部流通路５を流通する空調空気の床側吹出し口２４を又天井部の近傍に天井側吹出し口６４をそれぞれ設け、上記床側吹出し口２４の近傍の壁基礎面に、空調空気の流れを変える乱流発生板４０を配置し、上記乱流発生板に上記空調空気を当てて乱流を発生させ、この乱流により空調空気を上記床側吹出し口の上方向と上記天井側吹出し口の方向との二方向に分流し、空調空気を天井側吹出し口と床側吹出し口との両方から室内に取り入れる構成である。【００１２】
本発明に係る空調用二重壁構造は、上記乱流発生板４０として断面Ｌ字状の長尺材を用い、これを上記床側吹出し口２４の近傍の壁基礎面に横向きに配置して空調空気を当て、乱流を発生させた構成である。【００１３】
本発明に係る空調用二重壁構造は、図６に示すように、空調機器からの空調空気を床下空間部に送り、この床下空間部を流通する空調空気を吹出し口を通じて室内に吹き出す空調構造において、上記床下空間部と連通する二重壁の壁部に、床下空間部からの空調空気が上方に向けて流通する壁部流通路５を形成し、床部の近傍に上記壁部流通路を流通する空調空気の床側吹出し口２４を又天井部の近傍に天井側吹出し口６４をそれぞれ設け、上記床側吹出し口の近傍の上記壁部流通路５に、この壁部流通路を閉塞する流体誘導材１０２を横方向に断続的に配置し、上記流体誘導材１０２に上記空調空気を当てて空調空気を床側吹出し口２４に誘導する一方、上記流体誘導材を配置していない個所については、上記壁部流通路５を通過する空調空気をそのまま上方に流通させ、これにより空調空気を上記床側吹出し口２４の方向と上記天井側吹出し口６４の方向との二方向に分流し、空調空気を天井側吹出し口と床側吹出し口との両方から室内に取り入れる構成である。【００１４】
本発明に係る空調用二重壁構造は、図８に示すように、空調機器からの空調空気を床下空間部に送り、この床下空間部を流通する空調空気を吹出し口を通じて室内に吹き出す空調構造において、上記床下空間部と連通する二重壁の壁部に、床下空間部からの空調空気が上方に向けて流通する壁部流通路５を形成し、床部の近傍に上記壁部流通路を流通する空調空気の床側吹出し口２４を又天井部の近傍に天井側吹出し口６４をそれぞれ設け、上記床側吹出し口２４の近傍の上記壁部流通路５に、空調空気の通過孔１１８を有し上記壁部流通路の一部を閉塞する流体分配材１１２を横方向に配置し、上記流体分配材１１２に上記空調空気を当てて一部の空調空気を床側吹出し口２４に誘導する一方、上記流体分配材の通過孔１１８を通過する空調空気を上方に流通させ、これにより空調空気を上記床側吹出し口２４の方向と上記天井側吹出し口６４の方向との二方向に分流し、空調空気を天井側吹出し口と床側吹出し口との両方から室内に取り入れる構成である。
上記流体分配材１１２は、壁部流通路５を横方向に連続的に配置してもよいし、また、所定長さの流体分配材１１２を横方向に断続的に配置し、隣接する流体分配材１１２同士の間に適当な隙間を設け、この隙間から空調空気の一部を上方に流通させるようにしてもよい。【００１５】
本発明に係る空調用二重壁構造は、上記天井側吹出し口６４として、上記天井部の壁際の部分に下方に向けて開口する吹出し口を設け、上記天井部の壁際に、上記壁部流通路５を流通して上記壁部の天井際に設けた隙間から吹き出される空調空気を下方向きに変える風向き変更板７４を配置し、上記吹出し口から空調空気を下方に向けて吹き出す構成である。【００１６】
本発明に係る空調用二重壁構造は、上記天井側吹出し口６４として、上記壁部の天井際の部分に横方に向けて開口する吹出し口を設け、上記壁部流通路５の天井際に、この壁部流通路５を流通する空調空気を横向きに変える風向き変更板７５を配置し、上記吹出し口から空調空気を横方向に吹き出す構成である。【００１７】
本発明に係る空調用二重壁構造は、上記壁部流通路５を形成する壁基礎面に断熱材７を敷設した構成である。【００１８】
本発明に係る空調用二重壁構造は、上記壁部流通路５に、長尺状のガイド板１３２をこの壁部流通路内を横に延ばした状態に配置し、上記壁部流通路を上昇する空調空気の流れを上記内装材１０の裏面部に誘導してここに当て、温度が調整された上記内装材１０による壁面からの輻射効果により室内の空調を行う構成である。この場合、例えばガイド板１３２の上部を上記壁部流通路５の室内側の壁面を形成する内装材１０の裏面部側に傾けて配置すると効果的である。
【発明の効果】
【００１９】
本発明に係る空調用二重壁構造によれば、床下空間部から壁部流通路に至る壁部に乱流発生板を配置し、空調空気を床側吹出し口の方向と天井側吹出し口の方向との二方向に分流し、空調空気を天井側吹出し口と床側吹出し口との両方から室内に取り入れる構成を採用したから、空調空気の流れが床側吹出し口と天井側吹出し口とに良好に分割され、両吹出し口から一様に空調空気が吹き出されるために、室内空間は均一かつソフトな空調環境（温度環境及び湿度環境）が得られ、また室内に家具等を置いて空調に支障がなく美観性も向上し、加えて壁部に形成した壁部流通路を空調空気が通過することにより、壁面からも輻射熱の作用が得られるという効果を奏する。【００２０】
本発明に係る空調用二重壁構造によれば、乱流発生板として断面Ｌ字状の長尺材を用いて乱流を発生させる構成としたから、簡単な設備で乱流が発生できて空調空気の分割が良好に行えることから施工性及び経済性に優れるという効果がある。【００２１】
本発明に係る空調用二重壁構造によれば、床側吹出し口の近傍の壁部流通路に、この壁部流通路を閉塞する流体誘導材を横方向に断続的に配置し、流体誘導材に空調空気を当てて空調空気を床側吹出し口に誘導する一方、流体誘導材を配置していない個所については、壁部流通路を通過する空調空気をそのまま上方に流通させ、空調空気を二方向に分流し、空調空気を天井側吹出し口と床側吹出し口との両方から室内に取り入れる構成を採用したから、上記空調用二重壁構造と同様、室内空間は均一かつソフトな空調環境が得られ、また室内に家具等を置いて空調に支障がなく美観性も向上し、また流体誘導材の断続的な配置により正確かつ効果的に空調空気が床側と天井側に分散されるという効果がある。【００２２】
本発明に係る空調用二重壁構造によれば、床側吹出し口の近傍の壁部流通路に、空調空気の通過孔を有し壁部流通路の一部を閉塞する流体分配材を横方向に配置し、空調空気を二方向に分流して天井側吹出し口と床側吹出し口との両方から室内に取り入れる構成を採用したから、上記空調用二重壁構造と同様、室内空間は均一かつソフトな空調環境が得られ、また室内に家具等を置いて空調に支障がなく美観性も向上し、また流体分配材により正確かつ効果的に空調空気が床側と天井側に分散されるという効果がある。【００２３】
本発明に係る空調用二重壁構造によれば、天井側吹出し口として、天井部の壁際の部分に下方に向けて開口する吹出し口を設け、天井部の壁際に風向き変更板を配置し吹出し口から空調空気を下方に向けて吹き出す構成を採用したから、特に暖房時には室内下方の空調効率が高められるという効果がある。【００２４】
本発明に係る空調用二重壁構造によれば、天井側吹出し口として、壁部流通路の天井際に、この壁部流通路を流通する空調空気を横向きに変える風向き変更板を配置し吹出し口から空調空気を横方向に吹き出す構成を採用したから、特に冷房時には室内全体にわたって均一に空調空気を流すことができ、良好な空調が行えるという効果がある。【００２５】
本発明に係る空調用二重壁構造によれば、壁部流通路を形成する壁基礎面に断熱材を敷設したから、壁部流通路の空調空気の保温性が良くなり、併せて室内空調の効率も高められるという効果がある、【００２６】
本発明に係る空調用二重壁構造によれば、壁部流通路に、長尺状のガイド板を配置し、空調空気を内装材の裏面部に誘導して、温度が調整された内装材による壁面からの輻射効果により室内の空調を行う構成を採用したから、壁面からの輻射熱の作用がさらに高められるという効果がある。
【図面の簡単な説明】
【００２７】
【図１】本発明の第一の実施の形態に係り、空調用二重壁構造の床近傍を示す図である。
【図２】実施の形態に係り、空調用二重壁構造の天井近傍を示す図である。
【図３】他の形態に係る、空調用二重壁構造の天井近傍を示す図である。
【図４】実施の形態に係り、部屋周辺の空調空気の流れを示す図である。
【図５】従来例に係り、均一な温度環境を保つ住宅の全体を示す図である。
【図６】第二の実施の形態に係り、（ａ）は空調用二重壁構造、（ｂ）は流体誘導材、(ｃ)は壁裏空間部のＡ−Ａ線断面を示す図である。
【図７】実施の形態に係り、スタッド材に固定具を取り付ける状態を示す図である。
【図８】第三の実施の形態に係り、（ａ）は空調用二重壁構造の床近傍、（ｂ）は流体分配材、(ｃ)は壁裏空間部のＢ−Ｂ線断面を示す図である。
【図９】他の形態に係る天井近傍の構造を示す図である。
【図１０】天井側吹出し口の天井縁材に風向き変更板を取り付けた状態を示す図である。
【図１１】スタッド材の中間部にガイド板を取り付けた状態を示す図である。
【発明を実施するための形態】
【００２８】
以下、本発明に係る実施の形態を図面に基づいて説明する。
この実施の形態の空調用二重壁構造は、住宅等の室内の空調を行うものであり、部屋の床部２、壁部３及び天井部４にわたり空調空気が流通する。
以下、第一の実施の形態に係る空調用二重壁構造について説明する。
図１は、壁部３の下部の床近傍の二重壁構造を示すものであり、この二重壁の内部には空調空気が流通する壁部流通路５が形成されている。
【００２９】
上記二重壁構造は、空調空気が通過する壁基礎面６には断熱材７が敷設され、また壁基礎面６には上下向きかつ所定の間隔をおいて平行に縦胴縁８が設置されている。これら各縦胴縁８にわたってボード状の内装材１０が敷設され、壁面１２を形成している。上記縦胴縁８によって形成され、壁基礎面６と内装材１０との間の壁裏空間部９が空調空気が通過する壁部流通路５となる。そして、後述するようにこの壁部流通路５の床部２側には床側吹出し口２４が、また天井側には天井側吹出し口６４がそれぞれ形成されている。
【００３０】
部屋の床部２には、床スラブ１４に配置された床支持脚１６の上部の受け部１５に床板１７を敷設して床面１８を形成している。この床部２には、床スラブ１４と床板１７との間に床下空間部２０が形成され、空調空気が流通する床下流通路２２として利用される。
上記床面１８の端部１９と壁基礎面６との間には隙間を設けて、床下空間部２０から壁裏空間部９に向けて空調空気が自在に流通できるようにしている。そして、上記二重壁の壁部流通路５には、上記床下流通路２２を流通する空調空気が送られる。
【００３１】
また、壁部３の下部の幅木部分（床部の近傍）に、部屋の一端から他端まで略全体にわたり空調空気の床側吹出し口２４が形成されている。この床側吹出し口２４は、壁部３の内装材１０の下端部１１と床面１８との間に設けられている。壁部３の内装材１０の下端部１１からやや後ろ寄りの位置に、床面１８の端部１９から上方に向けて幅木材２６が立設配置されている。
【００３２】
上記幅木材２６は、床面１８から延設して上方に屈曲形成する表側板材２８と、この表側板材２８の裏面側にビス等で固定され、表側板材２８の上端部の位置から下方に垂下する裏側板材３０からなる。そして、幅木材２６の上端部２７には断面コの字状のアルミニウム製の保護材３２がビス３４等により取り付けられている。
【００３３】
また、内装材１０の下端部１１にはボード用の目地材３６が取り付けられている。また内装材１０の裏面部から下端部１１にかけて、目地材３６を被う状態で断面Ｌ字状のアルミニウム製のアングル材３８が配置され、ビス３４等により固定されている。このアングル材３８は、内装材１０の下端部近傍の裏面部を保護する。
【００３４】
上記幅木材２６は、壁基礎面６と内装材１０との間の間隔の略中央部の位置に配置されている。また、幅木材２６の上端部２７は内装材１０の下端部１１より僅かに高いか略同じ程度である。
そして、内装材１０の下端部１１とこの後方の幅木材２６との間（ここでは２５ｍｍ程度）には、室内に向けて下向きに開口する床側吹出し口２４が形成されている。この床側吹出し口２４は、下向きに開口しているため室内からは目立たなく美観がよい。
【００３５】
さらに壁基礎面６には、上記幅木材２６の上端部２７（床側吹出し口２４の位置）より少し上方（ここでは１５ｍｍ程度）の位置（壁部流通路５の下部近傍）に、乱流発生板４０がその突板部４４が位置する状態で配置されている。
この乱流発生板４０は、基板部４２と突板部４４からなる断面Ｌ形状（不等辺アングル材）のアルミニウム製の長尺材である。上記乱流発生板４０は、床側吹出し口２４の近傍の少し上方の壁基礎面６に横向きに配置され、ビス等を用いて上記基板部４２を壁基礎面６に固定している。
【００３６】
上記乱流発生板４０は、壁基礎面６から突板部４４が水平向きに突出形成された形態である。この乱流発生板４０は、床下流通路２２から送られる空調空気２５を突板部４４に当てて乱流を発生させる。この空調空気に乱流を起すことにより、空調空気を天井側吹出し口６４が設けられた上方向きと、床側吹出し口２４が設けられた表側に向けて向きを変える二方向に分流する。そして、上向きに分流された空調空気はそのまま壁部流通路５を上昇し、表側に向きを変えた分流空気は床側吹出し口２４を通過して室内に流入する。
【００３７】
図２は、空調空気が流通する二重壁の上部の天井近傍を示すものである。
天井部４は、野縁受け４６にクリップ４７を掛着し、このクリップ４７に取り付けた野縁４８に天井板４９を敷設して天井面５０を形成している。また天井部４の隅には、天井板４９の下部に横向きにランナー材５２が配置され、ビス３４等により壁基礎面６に固定されている。
【００３８】
このランナー材５２は、左右の側板部５１，５３と上板部とからなる断面コの字形状の長尺材であり、各縦胴縁８の上端部はランナー材５２の溝内に突入した状態でビス３４等により固定されている。上記ランナー材５２は、縦胴縁８の上端部を被う状態で配置されているため、二重壁の壁部流通路５の上端部を閉塞する。
【００３９】
また、ランナー材５２の側板部５３の下端部５４と内装材１０の上端部１３との間には隙間５５（ここでは３５ｍｍ程度）が形成されている。そして内装材１０の上端部１３には目地材３６が、また内装材１０の内側及び上端部１３の目地材３６を被う状態でアングル材３８が取り付けられている。
【００４０】
上記ランナー材５２の室内側には、上記隙間５５の前方を被う形態で天井縁材５６が横向きに配置されている。この天井縁材５６は、断面矩形状の基部５８及びこの前側に形成され下方に向けて垂下される縦片部６０からなる断面Ｌ字形状の形状である。この天井縁材５６の縦片部６０の前面から下面にかけて、化粧用のアルミニウム製の曲げ物６２が取り付けられている。また、天井縁材５６の内側の入隅部には、アルミニウム製の断面Ｌ字状のアングル材６３が取付けられ、空調空気が当たるこの部位を保護している。
【００４１】
上記天井縁材５６により、内装材１０の上端部１３とこの天井縁材５６の縦片部６０との間（ここでは３５ｍｍ）には、下方に向けて開口する天井側吹出し口６４が形成されている。この天井側吹出し口６４は、部屋の一端から他端まで略全体にわたって形成されている。
【００４２】
そして、内装材１０の上端部１３とランナー材５２との間の隙間５５から吹き出される空調空気は、天井縁材５６により流れが下向きに変えられ、上記天井側吹出し口６４から室内に吹き出される。この天井縁材５６は、天井部４の隅部を装飾するとともに、空調空気を下向きに変えて室内の空調効率を高めている。
【００４３】
図３は、他の形態に係る二重壁の上部の天井近傍を示したものである。ここでは、内装材１０の上部に設けた空調空気を取り出す隙間６６の下部６７と天井面５０とを略同程度として、隙間６６を見え難くした形態としている。このため、この形態では上記天井縁材５６を使用していない。
【００４４】
天井部４は、野縁受け４６にクリップ４７を掛着し、これに取り付けた野縁４８に天井板４９を敷設して天井面５０を形成している。そして、この天井面５０の高さから僅かに高い位置から上部にかけて、内装材１０の上端部１３が形成され、この上部に空調空気が流出する上記隙間６６が横向きに形成されている。この隙間６６の上部には横材７０が配置され、また縦胴縁８の上部にはランナー材等が配置され壁部流通路５の上部が閉塞されている。
【００４５】
また天井面５０の端部７２は、内装材１０の表面から所定の隙間（ここでは３５ｍｍ程度）を開けた位置に設けられ、この隙間により下方に向けて開口する天井側吹出し口６４が形成されている。
【００４６】
さらに、上記内装材１０の上部の隙間６６の前方には、空調空気流を下方向きに変える風向き変更板７４が固定具７６によって取り付けられている。この風向き変更板７４は、断面円弧状のアルミニウム製の長尺材である。
【００４７】
上記固定具７６は、左側面部７８、上面部７９及び右側面部８０からなる断面コの字状の金具である。この固定具７６の左側面部７８の上部近傍には、内側に突出した係止凸部８２が横向き筋状に形成されている。また、左側面部７８の両側にはそれぞれ外側に向けて固定片部８４，８４が屈曲形成され、これら両固定片部８４，８４にはそれぞれ中央部にネジ孔８６が形成されている。固定具７６の右側面部８０の下端部には、内側に鋭角状に屈曲された係止部８８が形成されている。
【００４８】
上記固定具７６は上記隙間６６の前部に配置され、左側面部７８の両固定片部８４，８４をそれぞれ二重壁の下地材である縦胴縁８の側部に挟みネジ孔８６からビス等を用いて固定されている。各固定金具７６は、横方向に所定間隔をおいて配置される。
上記各固定金具７６の係止部８８と係止凸部８２との間に、風向き変更板７４の両側端部をそれぞれ係止して固定する。この風向き変更板７４により、隙間６６から吹き出される空調空気の流れが下方向きに変更され、天井側吹出し口６４から室内に吹き出される。
【００４９】
図４は、部屋周辺の床部２の床下空間部２０、壁部３の壁裏空間部９、天井部４の天井裏空間部９２における空調空気の流れを示したものである。天井裏空間部９２には空調機器９４が配置され、暖房、冷房或いは除湿用などの空調空気を送出する。
【００５０】
上記空調機器９４から吹き出された空調空気は、天井裏空間部９２から壁外９３に配設されたダクト９６内を流通して床下空間部２０まで送られる。この床下空間部２０には、床下ダクト９８が床下に縦横或いは環状に配置され、この床下ダクト９８の上部の所々には空調空気の噴出ノズル９７が配置されている。
【００５１】
この噴出ノズル９７は、空調空気を床板１７の裏面に向けて吹き出し床面を介して室内の空調を行う。さらに床下空間部２０に吹き出された空調空気は、上述した壁部３に形成された二重壁構造に係る壁部流通路５を流通して床面１８近傍の床側吹出し口２４から室内に吹き出され、さらに壁部流通路５を上昇して天井面５０の近傍の天井側吹出し口６４から室内に向けて吹き出される。室内の空気は、天井面５０に設けた吸気口９９から吸引され、上記空調機器９４に送られ再度空調に供する。
【００５２】
従って上記第一の実施の形態によれば、空調空気を床下空間部から室内へと導くために、壁部に空気流通路を形成して床側吹出し口と天井側吹出し口を設けたことにより、室内空間は均一な温度環境と湿度環境を保つことができ、また壁部流通路に空調空気を通すことにより、壁面からも輻射熱の作用による空調効果が得られた。
また、壁部流通路に乱流発生板を設けたことにより、空調空気の流れが床側吹出し口と天井側吹出し口とに分割され、両吹出し口から所望する量の空調空気が吹き出されるために、均一な室内温度及び湿度環境が整えられる。
【００５３】
さらに、従来の床部或いは天井部にガラリ（空気吹出し口）を部分的に設ける方法に比べて、上記床側吹出し口と天井側吹出し口は部屋の壁一面の全体にわたって設けられていることから、吹き出される空調空気が緩やかであり（風速０．３ｍ／ｓｅｃ以下に風速調整が可能）、空気の流れ（ドラフト感）を感じないソフトで快適な空調環境が得られた。
また、床上の吹出し口をなくし、上記床側吹出し口及び天井側吹出し口から吹き出すようにしたから、室内に家具などのものを置いてもこれら吹出し口からの吹き出しは可能であり、室内空間の空調を整えることができまた室内の美観性も向上した。
【００５４】
図６（ａ）は、第二の実施の形態に係る空調用二重壁構造を示したものである。この空調用二重壁構造では、上記第一の実施の形態の空調用二重壁構造に係る乱流発生板４０に替えて、流体誘導材１０２を用いた構成である。また、ここでは上記縦胴縁８に変えて断面ロの字状（角筒状）の鋼製のスタッド材１０８を２本抱き合せたものを用いている。
【００５５】
さらに、壁基礎面６側には断熱組織１０５が形成されている。この断熱組織１０５は、向かい合わせに配置された２枚のボード材１０９（パーティクルボードなど）同士の間に断熱材７が配置された形態である。この断熱材７としては、グラスウール、ロックウールなどの無機繊維系断熱材、押出法ポリスチレンフォーム、フェノールフォームなど発泡プラスチック系断熱材、天然木質繊維のセルロースファイバー、羊毛断熱材、炭化発泡コルクなどの天然素材系の断熱材７が用いられる。
【００５６】
上記断熱組織１０５と内装材１０との間には所定間隔をおいてスタッド材１０８が立設されており、また断熱組織１０５と内装材１０間の壁裏空間部９には空調空気２５が流通する壁部流通路５が形成されている。
この実施の形態において、上記第一の実施の形態と同様な構成部材については、同一の符号を用いてここでの詳細な説明は省略する。
【００５７】
上記流体誘導材１０２は、図６(ｂ)に示すように、金属或いは合成樹脂からなり、断面が略半円状の円弧部１０６を有する長尺材である。また、上記円弧部１０６の一方の端部には平板状の取付板部１０４が延設され、この取付板部１０４の左右の２箇所に取り付け用の孔部１０３が形成されている。
【００５８】
上記流体誘導材１０２は、上記壁裏空間部９の幅全体にわたり、かつ横向きに所定の範囲に配置される。図６（ｃ）の壁裏空間部９の断面図に示すように、流体誘導材１０２は、隣接する流体誘導材１０２とは所定（一定）の間隔をおいて断続的に配置する。
ここでは、並設されるスタッド材１０８間を利用し、隣接するスタッド材１０８同士の間に流体誘導材１０２を配置し、そしてこの隣のスタッド材１０８同士の間には流体誘導材１０２を配置せず、としてスタッド材１０８間に断続的に流体誘導材１０２を配置する形態としている。
【００５９】
上記流体誘導材１０２は、横一列に断続的に配置してもよく、また千鳥状に上下に交互に分けて配置してもよい。
また流体誘導材１０２は、円弧部１０６の中央が頂部となるように配置し、その取付板部１０４の孔部１０３をビス等の止着具１１０を用いて断熱組織１０５（又は壁基礎面６）に固定する。
【００６０】
上記流体誘導材１０２によれば、下から上昇する空調空気２５はこの流体誘導材１０２により床側吹出し口２４に誘導される。この場合、断熱組織１０５の近傍を上昇する空調空気２５が流体誘導体１０２の片半部分（断熱組織１０５側）に当たり、その流れが外向きからさらに下向きに変えられ、これが内装材１０の下端部１１と表側板材２８の上端部との間の隙間から床側吹出し口２４に誘導され、この床側吹出し口２４から室内に吹き出される。このとき、流体誘導材１０２の円弧部１０６のガイドにより円滑に空調空気の誘導が行われる。
【００６１】
これにより壁部流通路５において、流体誘導材１０２を配置した個所に到達した空調空気２５は、流体誘導材１０２により床側吹出し口２４から室内に誘導され、また流体誘導材１０２を配置していない個所の空調空気は、そのまま壁部流通路５を上方に移動する。
このように壁部流通路５を通過する空調空気２５は、床側吹出し口２４の上方向と上記天井側吹出し口６４の方向との二方向に分流され、空調空気を天井側吹出し口６４と床側吹出し口２４との両方から室内に取り入れられる。
【００６２】
空調空気が流通する二重壁の上部の天井近傍（天井側吹出し口）の構造は、上記第一の実施の形態に係る図３に示す構造と略同様である。ここでは、天井側吹出し口６４に上記固定具７６及び長尺状の風向き変更板７４を取り付けている。この風向き変更板７４は、金属又は合成樹脂からなる可撓性のある長尺状の板材である。
【００６３】
上記固定具７６は図７に示すように、スタッド材１０８の側部に両固定片部８４，８４のネジ孔８６にビス１０７を用いて固定される。
また、このスタッド材１０８は、抱き合わせた一方の内装材１０側のものは上方から内装材１０の下端部１１近傍まで配置され、他方の断熱組織１０５側のものはさらに床スラブ１４まで延設した状態で配置されている。これにより、内装材１０の下端部１１近傍から上方の壁裏空間部９の幅はスタッド材９の２本分の幅の寸法を確保し、内装材１０の下端部１１近傍から下方の壁裏空間部９の幅はスタッド材９の１本の幅の寸法を確保している。
【００６４】
そして、風向き変更板７４を凸状に曲げた状態でその上下端部を、それぞれ固定具７６の係止凸部８２の上部と係止部８８との間に係止させその復元力を利用して固定する。この風向き変更板７４は、壁面１２の略全範囲にわたって配置する。
上記風向き変更板７４により空調空気の流れが下向きに変えられ、上記天井側吹出し口６４から室内に吹き出される。空調空気を下向きに変えることにより、特に暖房時には室内の空調効率が高められる。
【００６５】
この空調用二重壁構造では、流体誘導材１０２が配置された壁部流通路５（スタッド材１０８同士の間）を通過する空調空気は全て床側吹出し口２４から室内に誘導され、また流体誘導材１０２が配置されてない壁部流通路５（スタッド材１０８同士の間）を通過する空調空気は全て上方の天井側吹出し口６４から室内に吹き出される。
【００６６】
したがって、この空調用二重壁構造によれば、上記第一の実施の形態に係る空調用二重壁構造と同様な効果が得られ、また流体誘導材１０２の断続的な配置により正確かつ効果的に空調空気が床側と天井側に分散され、また流体誘導材１０２の配置個所の増減で簡単に床側と天井側への空調空気の分散の割合を変えることができ利便性にも優れる。
【００６７】
図８（ａ）は、第三の実施の形態に係る空調用二重壁構造を示したものである。この空調用二重壁構造は、上記第二の実施の形態に係る流体誘導材１０２に替えて流体分配材１１２を用いた形態である。この実施の形態において、上記第一及び第二の実施の形態と同様な構成部材については、同一の符号を用いてここでの詳細な説明は省略する。
また、この実施の形態に係る二重壁の上部の天井近傍の構造は、第二の実施の形態などと同様でありここでの詳細な説明は省略する。
【００６８】
上記流体分配材１１２は、図８(ｂ)に示すように、金属或いは合成樹脂からなり、断面が略半円状の円弧部１１６を有する長尺材である。また、上記円弧部１１６の一方の端部には平板状の取付板部１０４が延設され、この取付板部１０４の左右の２箇所に取り付け用の孔部１０３が形成されている。
【００６９】
そして、上記流体分配材１１２の円弧部１１６の上部には長尺方向に所定（一体）間隔をおいて長方形状の通過孔１１８が設けられている。この通過孔１１８は、円弧部１１６の板面をコの字状に切り欠き、これを上方に折り曲げて設けたものであり、その一端部には折曲片１１９が上方に向けて形成されている。
【００７０】
上記流体分配材１１２は、上記壁裏空間部９の幅全体にわたり、かつ横向きに配置される。図８（ｃ）の壁裏空間部９の断面図に示すように、流体分配材１１２は、壁裏空間部９にスタッド材１０８の個所を除いて連続的に配置する。このため、流体分配材１１２の通過孔１１８を通過する空調空気のみが壁部流通路５を上方に移動する。
流体分配材１１２は、円弧部１１６を上側にして配置し、その取付板部１０４の孔部１０３を止着具３４を用いて断熱組織１０５（又は壁基礎面６）に固定する。
【００７１】
上記流体分配材１１２によれば、下方からの空調空気２５の一部は、流体分配材１１２によってその流れを外向き及び下向きに変えて床側吹出し口２４に誘導し、この床側吹出し口２４から室内に吹き出す。また、空調空気２５の残りは上記通過孔１１８を通過して上方に移動し、天井側吹出し口６４から室内に吹き出される。
このように壁部流通路５を通過する空調空気２５は、床側吹出し口２４の上方向と上記天井側吹出し口６４の方向との二方向に分流され、空調空気を天井側吹出し口６４と床側吹出し口２４との両方から室内に取り入れられる。
【００７２】
したがって、この空調用二重壁構造によれば、上記第一の実施の形態に係る空調用二重壁構造と同様な効果が得られ、また流体分配材１１２により正確かつ効果的に空調空気が床側と天井側に分散され、また流体分配材１１２の通過孔１１８の大きさ（或いは単位間隔あたりの数）の増減により簡単に床側と天井側への空調空気の分散の割合を変えることができ利便性にも優れる。
【００７３】
図９は、他の形態に係る天井近傍（天井側吹出し口）の構造を示したものであり、この構造は上記何れの実施の形態に係る空調用二重壁構造にも適用可能である。
これは、天井側吹出し口６４として、壁部に該当する内装材１０の天井際の部分に横に向けて開口する隙間を設けて吹出し口１２３とし、また天井面５０の近傍に位置するスタッド材１０８の上端部に係止固定具１２０を取り付け、これに上記風向き変更板７５を係止させた形態である。
【００７４】
上記係止固定具１２０は、上面部１２２、側面部１２４、及び下面部１２６を有する断面略コの字状の金具であり、上面部１２２の先端部には、内側に鋭角状に屈曲された係止部１２８が形成され、また下面部１２６には係止凸部１２９が横向き筋状に形成され、下面部１２６の左右部は一部がそれぞれ下方に屈曲形成された固定片１２７が形成されている。この固定具７６は、両固定片１２７に形成されたネジ孔にビス１０７を用いて固定される。
【００７５】
上記風向き変更板７５の取り付けに際しては、上記固定具７６の係止部１２８と係止凸部１２９の側面部１２４寄りの部位との間に、風向き変更板７５を凸状に曲げた状態で、その上下端部をそれぞれ係止しその復元力を利用して固定する。この風向き変更板７５は、壁裏空間部９の横方向の略全範囲にわたって配置する。
【００７６】
この天井側吹出し口の構造によれば、壁裏空間部９を上昇する空調空気２５は、風向き変更板７５により流れが横向きに変えられ、内装材１０の上部に形成された吹出し口１２３から室内に吹き出される。このため、吹出し口１２３から空調空気を天井面５０に沿う方向に吹き出すことから、特に冷房時には室内全体にわたって均一に空調空気（冷気）を流すことができ、良好な空調が行える。
【００７７】
図１０に示す二重壁の天井近傍（天井側吹出し口）の構造は、図２に示す構造と略同様であるが、ここでは天井縁材５６によって形成される天井側吹出し口６４に、上記固定具７６及び上記風向き変更板７４を取り付けた形態である。
【００７８】
上記固定具７６は縦胴縁８の側部に固定し、この固定具７６の係止部８８と係止凸部８２の上部との間に、風向き変更板７４を凸状に曲げた状態でその上下端部をそれぞれ係止して固定する。この風向き変更板７４は、内装材１０の横方向の略全範囲にわたって配置する。
【００７９】
上記風向き変更板７４により空調空気の流れが効果的に下向きに変えられ、天井側吹出し口６４から室内に吹き出される。空調空気を下向きに変えることにより、特に暖房時には室内下方の空調効率が高められる。
【００８０】
図１１は、上記スタッド材１０８（或いは上記縦胴縁８）の中間部に取り付けたガイド板１３２を示したものである。このガイド板１３２は、上記縦胴縁８或いは上記スタッド材１０８の側部に設けた取付孔部１３０に挿通させて配置する。このためガイド板１３２は、ボード材１０９と内装材１０との間の上記壁裏空間部９内を横に延ばした形態となる。
【００８１】
上記ガイド板１３２は、鋼製或いは合成樹脂材からなる断面円弧状の長尺材である。また、上記取付孔部１３０には鋭角状の係止部１２４が形成され、また取付孔部１３０の下部は内装材１０側に向けて上昇する円弧状の傾斜部１３４が形成されている。
【００８２】
上記ガイド板１３２は、取付孔部１３０の傾斜部１３４に配置するとともに、その下端部を係止部１３８に係止させ、一方の上端部を固定ピン１３６で押さえて固定する。
上記ガイド板１３２によれば、壁部流通路５を通過する空調空気２５の一部を内装材１０方向に分岐させ、室内の壁面１２を形成する内装材１０に空調空気を積極的に当てることにより、壁面１２を暖めて壁面からの輻射熱による空調効果が得られる。
また、上記ガイド板１３２は、縦胴縁８或いはスタッド材１０８の振れ止め材としても機能する。
【符号の説明】
【００８３】
５  壁部流通路
２４  床側吹出し口
４０  乱流発生板
６４  天井側吹出し口
【図１】
2011013582.tif 000003
【図２】
2011013582.tif 000004
【図３】
2011013582.tif 000005
【図４】
2011013582.tif 000006
【図５】
2011013582.tif 000007
【図６】
2011013582.tif 000008
【図７】
2011013582.tif 000009
【図８】
2011013582.tif 000010
【図９】
2011013582.tif 000011
【図１０】
2011013582.tif 000012
【図１１】
2011013582.tif 000013
【国際調査報告】
2011013582.tif 000014
2011013582.tif 000015
2011013582.tif 000016
2011013582.tif 000017
2011013582.tif 000018
2011013582.tif 000019